(57)【要約】      （修正有）【課題】広告宣伝として配布するのに最適なペットボトルを提供する。【解決手段】ペットボトル１では、サイズを全高を１７５ミリメートル以下とし、かつ最大横幅を６０ミリメートル以下とし、かつ容積を略３００ミリリットルとしている。また形状を、少なくとも一部分の水平断面が多角形状とし、垂直方向の任意位置に1箇所以上の円柱状広告ラベル包囲部２を設け、該円柱状広告ラベル包囲部の直径を、最大横幅より小さくしている。さらに、該円柱状広告ラベル包囲部の全周に広告を記載したラベル５を摺動可能に摺設したことを特徴としている。【選択図】図１
0003139651.tif 000002
【実用新案登録請求の範囲】
【請求項１】
全高を１７５ミリメートル以下とし、かつ最大横幅を６０ミリメートル以下とし、かつ容積を３００ミリリットルとした、少なくとも一部分の水平断面が多角形状であるペットボトルにおいて、垂直方向の任意位置に1箇所以上の円柱状広告ラベル包囲部を設け、該円柱状広告ラベル包囲部の直径を、最大横幅より小さくするとともに、該円柱状広告ラベル包囲部の全周に広告を記載したラベルを摺動可能に摺設したことを特徴とする広告宣伝用ペットボトル。
【考案の詳細な説明】
【技術分野】
【０００１】
本考案は、広告宣伝用として配布するのに適したペットボトルに関するものである。
【背景技術】
【０００２】
キャンペーンや販売促進等を目的として、広告用の文字等を付した物品を配布することは、広告宣伝の手段として非常に効果的である。例えば、広告を付したティッシュペーパーは、製造コストも安価で重量も軽く、なおかつ形状・サイズの点においても手渡しをし易く、また受け取る側にとってもかさばらないため、受け取ってもらい易いといった理由で多く採用されている。
【０００３】
確かにティッシュペーパーの配布は効果的な広告方法ではあるが、広告しようとする内容によっては、イメージ的に相応しくない場合もあり、高級感・清潔感・健康的といったイメージを打ち出す必要がある場合には、ティッシュペーパーでは、逆効果となる場合もある。したがって、こうした特別なイメージを打ち出そうとする際には、広告宣伝の文字等が記載されたラベルを付した飲料水入りのペットボトルを配布することができれば、非常に効果的である。
【０００４】
そこで、広告宣伝用にペットボトルを配布しようとした場合、特許文献１に記載されているような従来より用いられているペットボトルから選択しようとすれば、３５０ミリリットルまたは５００ミリリットルのものが適当であるが、これらのペットボトルは自動販売機への収納を前提としているために、ボトルの直径と高さが自動販売機に適合したものとする必要があり、サイズや形状が画一的なものとなってしまっている。したがって、こうしたペットボトルを路上等で手渡し配布しようとしても、片手で持つには大きすぎるため迅速に手渡すことが難しく、また受け取る側にとっても、一見して重くかさばるものであるために、積極的に受け取ろうとしない。また製造コストも通常の清涼飲料水と同等であるために、配布目的のものとしては高額過ぎるものとなる。
【０００５】
また、広告宣伝という目的を考慮すれば、ペットボトルのサイズや形状ばかりでなく、ボトルを包囲するラベルの位置もきわめて重要である。すなわち、ラベルはそれに記載された広告が最も見えやすい位置に配置させなければならない。しかし従来のペットボトルでは、ボトルを包囲しているラベルは、ボトルに対して密着しており容易にその位置をずらすことができない。したがって、ボトルの形状等によっては、目立たない位置に広告しようとする文字等が写ってしまい、広告宣伝という本来の目的を充分に達成できないという問題があった。
【０００６】
【特許文献１】特開２００１−130580号公報
【考案の開示】
【考案が解決しようとする課題】
【０００７】
解決しようとする問題点は、広告宣伝として配布するのに最適なペットボトルを提供しようとするものである。
【課題を解決するための手段】
【０００８】
本考案のペットボトルでは、サイズを全高を１７５ミリメートル以下とし、かつ最大横幅を６０ミリメートル以下とし、かつ容積を略３００ミリリットルとしている。また形状を、少なくとも一部分の水平断面が多角形状とし、垂直方向の任意位置に1箇所以上の円柱状広告ラベル包囲部を設け、該円柱状広告ラベル包囲部の直径を、最大横幅より小さくしている。さらに、該円柱状広告ラベル包囲部の全周に広告を記載したラベルを摺動可能に摺設したことを特徴としている。
【考案の効果】
【０００９】
本考案の広告宣伝用ペットボトルは、通常のペットボトルより細身なので片手でしっかりと握りやすく、路上等で配布する場合に迅速かく的確に手渡すことができる、また細身のうえに全高も低く抑えられているために、一見してハンドバック等に収容できることがわかるため、受け取る側においても重くてかさばるという印象が少なく、抵抗無く受け取ってもらえる。
【００１０】
また、円柱状のラベル包囲部にラベルを摺動可能に摺設することにより、ラベルを取り付けた後であっても、ラベルに記載された文字等の位置を容易にずらして任意の位置にもってくるこができるため、ボトルの形状等に左右されること無く広告宣伝の目的を最大限に発揮させることもできる。
【００１１】
更に円柱状の広告ラベル包囲部を複数個所設けることにより、上部の包囲部には恒久的な企業の社名等を記載したラベルを付し、下部の包囲部にはキャンペーン毎に異なる内容を記載したラベルを付すなど、異なるデザインのラベルを組み合わせるといった工夫を凝らすことができるという利点もある。
【考案を実施するための最良の形態】
【００１２】
以下、本考案の実施の形態を図１〜図３に元づいて説明する。
【実施例１】
【００１３】
図１は、本考案の実施例１の立正面図および水平断面図である。
【００１４】
飲料水が入ったペットボトルは重いため、路上等で配布しようとする際には、ボトルをしっかりと手のひらで握り締めることができる必要がある。したがって、ボトルの形状はできるだけ角が指に引っ掛り易い多角柱状のものが適しており、実施例１のペットボトルでは、鉛筆等に採用されているように、Ｂ１-Ｂ１における水平断面形状４を６角柱状とすることにより、しっかりと手になじませることができる。
またボトルを掴む際には、できるだけ指が全周に届く範囲に押さえるようなサイズであることも重要である。したがって、最大横幅を６０ミリメートル以下に抑えることによって、例え女性であってもしっかりと掴むことができるため、手からこぼれ落ちることもなく、配布作業を迅速・的確に行うことができる。また配布物を受け取る側にとっても、それがあまりにかさばるものであるという印象が強いと受け取りを拒否する可能性が高い。したがって高さを１７５ミリメートル以下とすれば、一見してハンドバック等に容易に収納できるものと判断することができ、また容積も３００ミリリットルと飲料水に相応しい容量を確保することができる。
【００１５】
さらに、上半部にはＡ１-Ａ１の水平断面図３に示すような円柱状の広告ラベル包囲部２が設けられており、その周囲には広告を記載したラベル５が取り巻いている。ラベル５は長方形状のフィルムや紙等で作成し、その表面には、任意の広告文等を印刷することができる。また図３に示すように、ラベル５を円柱状広告ラベル包囲部２に取り付ける際には、ラベル５の一端の裏面の糊代６に接着剤や両面テープを付して円柱状広告ラベル包囲部２を包囲するように巻き付け、ラベル５の他端の表面の糊代６と重ね合わせて接合させれば、ラベル5と円柱状広告ラベル包囲部２とは接着されることがなく、ラベル５を取り付けた後でも、ラベル５を任意の位置に周方向に摺動可能となり、表面の広告文等を最も効果的に位置させることができる。
【実施例２】
【００１６】
図２は、本考案の実施例２の立正面図および水平断面図である。
【００１７】
実施例２では、上下２箇所の高さ位置にＡ２-Ａ２の水平断面形図３に示すような円柱状広告ラベル包囲部２を設けるとともに、その他の部分はＢ２-Ｂ２の水平断面図４に示すような４角柱状としている。
円柱状広告ラベル包囲部２のうち、上部にはあらかじめ企業のロゴ等を付したラベルを包囲したものを用意しておけば、下部の円柱状広告ラベル包囲部２にキャンペーン等に応じた任意のラベルを付すことによって、様々な状況に応じ、臨機応変にボトルを作り変えることができるという利点がある。また、上下のラベルは周方向に摺動可能であるので、適切な位置にラベルをずらすことによって、最適なラベル位置を実現することができる。
【産業上の利用可能性】
【００１８】
本考案の広告宣伝用ペットボトルは、片手でしっかりと握りやすく、路上等で配布する場合も迅速に手渡すことができる、また受け取る側においてもかさばるという印象が少なく、抵抗無く受け取ることができる。ため、特に高級感・清潔感・健康的といった特別なイメージを打ち出そうとする際には、非常に効果的な広告媒体となる。
【図面の簡単な説明】
【００１９】
【図１】全体を６角柱状としたボトルの実施方法を示した説明図である。（実施例１）
【図２】全体を４角柱状としたボトルの実施方法を示した説明図である。（実施例２）
【図３】ラベルを展開した状態を示した説明図である。
【符号の説明】
【００２０】
１    ペットボトル本体
２    円柱状広告ラベル包囲部
３    Ａ１−Ａ１およびＡ２−Ａ２における水平断面図
４    Ｂ１−Ｂ１およびＢ２−Ｂ２における水平断面図
５    ラベル
６    糊代
【図１】
0003139651.tif 000003
【図２】
0003139651.tif 000004
【図３】
0003139651.tif 000005
【手続補正書】
【提出日】平成19年12月6日(2007.12.6)
【手続補正１】
【補正対象書類名】図面
【補正対象項目名】図１
【補正方法】変更
【補正の内容】
【図１】
0003139651.tif 000006
【手続補正２】
【補正対象書類名】図面
【補正対象項目名】図２
【補正方法】変更
【補正の内容】
【図２】
0003139651.tif 000007